(57)【要約】【課題】紙材または植物性繊維より成るパルプを利用した中空管が外部からの衝撃力を緩衝するだけでなく、廃棄物リサイクル及び環境保護の目的も達することができる中空管緩衝包装材を提供すること。【解決手段】紙材（古紙を含む）または植物性繊維から成るパルプを素材とする複数の中空管１０を含み、各中空管１０が相互に重ねられるか、並列されて包装材構造体１が構成され、包装材構造体１に少なくとも１つの収容空間１２が形成される。【選択図】図２
2016124620.tif 000002
【特許請求の範囲】
【請求項１】
紙材（古紙を含む）または植物性繊維から成るパルプを素材とする複数の中空管を含み、前記各中空管が相互に重ねられるか、並列されて包装材構造体が構成され、前記包装材構造体に少なくとも１つの収容空間が形成されたことを特徴とする、中空管緩衝包装材。
【請求項２】
前記収容空間が、前記中空管により囲まれて成ることを特徴とする、請求項１に記載の中空管緩衝包装材。
【請求項３】
互いに長さの異なる複数種類の中空管が組み合わせられていることを特徴とする、請求項１に記載の中空管緩衝包装材。
【請求項４】
前記中空管の断面形状、管径、厚さ、硬さが、被収容物品の種類に応じて調整可能であることを特徴とする、請求項１に記載の中空管緩衝包装材。
【請求項５】
前記中空管どうしが間にシートを介して連接されたことを特徴とする、請求項１に記載の中空管緩衝包装材。
【請求項６】
複数の前記中空管を重ね、並列させて設置することで形成された隙間空間にそれぞれ設置された複数の緩衝管を含むことを特徴とする、請求項１に記載の中空管緩衝包装材。
【請求項７】
前記中空管の断面形状、管径、厚さ、硬さが、被収容物品の種類に応じて調整可能であることを特徴とする、請求項６に記載の中空管緩衝包装材。
【請求項８】
前記緩衝管が古紙パルプから成ることを特徴とする、請求項６に記載の中空管緩衝包装材。
【請求項９】
前記中空管が交差させて重ねられたことを特徴とする、請求項１に記載の中空管緩衝包装材。
【発明の詳細な説明】
【技術分野】
【０００１】
本発明は、紙（古紙を含む）または植物繊維より成るパルプを押出成形して形成された中空管を用いた中空管緩衝包装材に関する。
【背景技術】
【０００２】
精密或いは壊れやすい商品を梱包するには、外観の美観と製品の完全性を保護するために、材質が比較的硬い包装材が採用されている。また、製品の製造過程において、部品は輸送を経て後工程を行うメーカーに送達されるが、輸送過程での衝撃や振動、圧迫などによる破損を回避するためにも、発泡スチロール、発泡ポリエチレン（ＥＰＥ；Ｅｘｐａｎｄａｂｌｅ  Ｐｏｌｙｅｔｈｙｌｅｎｅ）などの俗に言う気泡緩衝シートや気泡袋等を利用して物品を固定し、空間を確保して衝撃の大きさを緩和している。
【０００３】
しかしながら、近年、環境保護意識の高まりを受けて、従来の発泡スチロール、発泡ポリエチレン（ＥＰＥ；Ｅｘｐａｎｄａｂｌｅ  Ｐｏｌｙｅｔｈｙｌｅｎｅ）などの俗に言う気泡緩衝シートや気泡袋により成る緩衝材は使用が禁止されるなど、徐々に淘汰されている。
【発明の概要】
【発明が解決しようとする課題】
【０００４】
本発明が解決しようとする課題は、紙材または植物性繊維より成るパルプを利用した中空管が外部からの衝撃力を緩衝するだけでなく、廃棄物リサイクル及び環境保護目的も達することができる、中空管緩衝包装材を提供することにある。
【課題を解決するための手段】
【０００５】
本発明の中空管緩衝包装材は、紙材（古紙を含む）または植物性繊維から成るパルプを素材とする複数の中空管を含み、前記各中空管が相互に重ねられるか、並列されて包装材構造体が構成され、前記包装材構造体に少なくとも１つの収容空間が形成されたことを特徴とする構成を有する。
【０００６】
前記収容空間が、前記中空管により囲まれて成ることがある。
互いに長さの異なる複数種類の中空管を組み合わせてもよい。
前記中空管の断面形状、管径、厚さ、硬さは、被収容物品の種類に応じて調整可能である。
前記中空管どうしが間にシートを介して連接されることがある。
複数の前記中空管を重ね、並列させて設置することで形成された隙間空間にそれぞれ緩衝管を設置すると良い。
前記緩衝管は古紙パルプ製であってもよい。
前記中空管は交差させて重ねられることがある。
【発明の効果】
【０００７】
本発明によれば、複数の中空管が外部からの衝撃を吸収するので、高い緩衝効果が得られ、被収容物品を損傷しないよう保護することができる。
また、これまでの発泡スチロールまたは発泡ポリエチレン（ＥＰＥ；Ｅｘｐａｎｄａｂｌｅ  Ｐｏｌｙｅｔｈｙｌｅｎｅ）から成る緩衝材に代替して、パルプ、紙材または植物性繊維を利用することにより、廃棄物を再利用することが可能となり、汚染を生じない環境保護の目的を達することができる。
【図面の簡単な説明】
【０００８】
【図１】本発明の実施例１を示す中空管緩衝包装材の斜視図である。
【図２】本発明の実施例１を示す中空管緩衝包装材の使用状態における斜視図である。
【図３】本発明の実施例２を示す中空管緩衝包装材の斜視図である。
【図４】本発明の実施例２を示す中空管緩衝包装材の使用状態における斜視図である。
【図５】本発明の実施例３を示す中空管緩衝包装材の要部端面図である。
【図６】本発明の実施例４を示す中空管緩衝包装材の斜視図である。
【図７】本発明の実施例５を示す中空管緩衝包装材の要部端面図である。
【図８】本発明の実施例６を示す中空管緩衝包装材の斜視図である。
【図９】本発明の実施例７を示す中空管緩衝包装材の斜視図である。
【発明を実施するための形態】
【０００９】
以下、本発明の実施例を図面に基づいて詳細に説明する。
図１及び図２は、それぞれ本発明の実施例１を示す中空管緩衝包装材の斜視図及び使用状態の斜視図である。
本発明の中空管緩衝包装材は、複数の中空管１０を相互に重ねるか、並列させて設置して構成される包装材構造体１を備える。中空管１０は、紙材（古紙を含む）または植物繊維より成るパルプを押出成形して形成される。
包装材構造体１には少なくとも１つの収容空間１２が形成され、実施例１では、複数の中空管１０が囲む形で収容空間１２が形成される。
【００１０】
この収容空間１２の深さと高さは各中空管１０の長さ及び重ねる量によって決めることができる。たとえば、被収容物品２がノートパソコンの大きさである場合、中空管１０はパルプの押出成形を行うとき、ノートパソコンの寸法に合わせてその長さを制限するか、中空管１０がパルプの押出成形で一定長さの規格にされた後、カットすればよい。このように形成された同じ長さの複数の中空管１０を、径方向に隣接させながら四辺形の周辺に沿って設置して接着し、ノートパソコンを収容できる収容空間１２を形成する。
このように、紙材または植物繊維より成るパルプを素材とする中空管１０を利用することで、廃棄物リサイクル及び環境保護目的を達することができるだけでなく、中空管１０を利用することで外部からの衝撃力を緩衝する効果が達せられる。
【００１１】
図３及び図４は、それぞれ本発明の実施例２を示す中空管緩衝包装材の斜視図及び使用状態における斜視図である。
実施例２では、実施例１における中空管１０と同様の構造を有する各中空管１０ａを相互に重ねるか、並列させて設置すると共に、長さの異なる中空管１０ａを組み合わせて収容空間１２ａを形成してある。
例えば携帯電話３ａを収容空間１２ａ内に配置して、効果的に保護することができる。中空管１０ａは長い中空管１００ａと短い中空管１０２ａに分けられ、長い中空管１００ａを並列させて設置することで底部を形成し、この底部の上に、短い中空管１０２ａを径方向に並列すると共に、長さ方向に間隔をあけて敷き並べ、間隔を開けた短い中空管１０２ａの間に収容空間１２ａを形成する。この収容空間１２ａは携帯電話３ａを配置するために用いることができ、長さの異なる中空管１０ａを利用することで比較的小さい物品に対して特殊な包装材構造体１ａを作成することができる。
【００１２】
図５は、本発明の実施例３を示す。
実施例３の中空管緩衝包装材は、実施例１又は実施例２のものに加えて、さらにパルプで成る複数の緩衝管１４を含む。
緩衝管１４は、複数の中空管１０を重ね、並列させて設置することでその間に形成された隙間空間１６の中に設置される。緩衝管１４が各中空管１０の間の隙間空間１６に追加されることで、包装材構造体１の緩衝効果を効果的に高め、物品保護強化の目的を達することができる。
当然、中空管１０及び緩衝管１４の断面形状は円形管のみに限定されず、緩衝保護機能を備えていればよく、三角形、菱形、多辺形などとしてもよい。かつ、その管径、厚さ、硬さは、被収容物品の種類に応じて緩衝・衝撃緩和のニーズに合わせて調整できる。
【００１３】
図６は、本発明の実施例４を示す。
実施例４では、同じ寸法の複数の中空管１０を、実施例１と同様に径方向に隣接させて四辺形の周辺に沿って並べると共に、収容空間１２の両側の開口部を塞ぐように、これら中空管１０と交差する中空管１０を配置してある。
実施例４によれば、包装材構造体１の緩衝効果を効果的に高め、物品保護強化の目的を効果的に達することができる。
【００１４】
図７は、本発明の実施例５を示す。
実施例５では、複数の中空管１０を並列させ、多層に重ねて設置しており、異なる層の複数の中空管１０の間にシート４を設置してある。このようにシート４を利用して各層の複数の中空管１０を連接させることにより、中空管１０を重ねる作業をより便利にすることができる。これは緩衝管１４も同様である。
また、最外層のシート４上に製品広告や美術図案で修飾することもできる。
【００１５】
図８は、本発明の実施例６を示す。
実施例６では、同じ長さの複数の中空管１０を並設して底部を形成し、底部の上面周縁に沿って中空管１０を配置して周壁を形成し、さらに、隔壁となる複数の中空管１０を、底部を構成する中空管１０と交差するよう底部上面に配置し、周壁の内側に、隔壁となる中空管１０で区切られた複数の収容空間を形成してある。
当然、底部を構成する中空管１０とこれに交差する中空管１０とは長さが異なる。
【００１６】
図９は、本発明の実施例７を示す。
実施例７では、実施例６と同様に底部を形成し、底部上面の周縁に沿って中空管１０を複数本並設すると共に、複数段重ねて周壁を形成し、周壁の内側に収容空間を形成してある。
【００１７】
以上は、本発明の実施例の説明にすぎず、本発明の権利範囲を限定するものではない。従って、本発明の特許請求の範囲を逸脱しない変更や修飾はいずれも本発明の権利範囲に含まれる。
【符号の説明】
【００１８】
１、１ａ    包装材構造体
１０、１０ａ  中空管
１００ａ  長い中空管
１０２ａ  短い中空管
１２、１２ａ  収容空間
１４      緩衝管
１６      隙間空間
２        被収容物品
３ａ      携帯電話
４        シート
【図１】
2016124620.tif 000003
【図２】
2016124620.tif 000004
【図３】
2016124620.tif 000005
【図４】
2016124620.tif 000006
【図５】
2016124620.tif 000007
【図６】
2016124620.tif 000008
【図７】
2016124620.tif 000009
【図８】
2016124620.tif 000010
【図９】
2016124620.tif 000011